(57)【特許請求の範囲】
【請求項１】
点火バーナと燃焼ファン及び木質ペレット投入筒部とを備えた一次燃焼ピットと、一次燃焼ピットに連設された二次燃焼用の燃焼炉と、この燃焼炉の送出側にある、少なくとも、燃焼ガス及び燃えカスを空中に拡散して燃焼する三次燃焼ピット、及び四次燃焼ピットを備える木質ペレット燃焼炉において、
前記燃焼炉に入口側より送出側に向かって下り傾斜したロストルを配備し、前記燃焼ファンからの風を、このロストルの短手方向に複数段形成した吹出スリットより、当該ロストルの上下方向に供給し、前記二次燃焼を可能とするとともに、前記燃焼炉の燃焼ガス、及び燃えカスを、前記送出側に向かって搬送可能とする木質ペレット暖房機の燃焼炉用ロストルであって、
前記三次燃焼ピットより一段低くなった前記四次燃焼ピットを形成し、
この四次燃焼ピットにおいて、この三次燃焼ピット内に溜まったペレットの燃えカスを舞い上がらせ、さらに燃焼を促進することを特徴とした木質ペレット暖房機の燃焼炉用ロストル。
【請求項２】
前記ロストルは、底面と、この底面の両端部より側面側の傾斜方向に逆末広がりとなる両側面を形成する構成とした請求項１に記載の木質ペレット暖房機の燃焼炉用ロストル。
【請求項３】
前記燃焼ファンからの風を、この燃焼炉に付設したチャンバーで二分し、当該燃焼炉と、前記ロストルとに供給するとともに、このチャンバーに繋がる分岐した通路（９ａ）、通路（９ｂ）と、この通路（９ａ）、通路（９ｂ）に設けたダンパと、前記チャンパーに送られる空気を、このダンパ操作で、前記燃焼炉と、前記ロストルとに、区分して供給可能とする構成とした請求項１に記載の木質ペレット暖房機の燃焼炉用ロストル。
【請求項４】
前記ロストルの吹出スリットは、多数枚の底板の繋ぎ目に形成し、第一の底板には、第二の底板〜第ｎの底板を、順次、複数枚設けるとともに、前記第一の底板の送出側の下に、前記第二の底板の入口側が積層される構成とし、この第一の底板の送出側と、この第二の底板の入口側で、前記第一の吹出スリットを構成するとともに、前記第二の底板の送出側と、前記第ｎの底板の入口側で、第ｎ前の吹出スリットを構成した請求項１に記載の木質ペレット暖房機の燃焼炉用ロストル。
【発明の詳細な説明】
【技術分野】
【０００１】
本発明は、ハウス用の暖房機として有効であり、かつ、再生可能なエネルギーを使用している為ＣО２（二酸化炭素）を増加させない暖房機であって、所謂、木質ペレット（木質系バイオマス燃料）暖房機の暖房炉用ロストルに関する。
【背景技術】
【０００２】
近年、ＣО２等の温室効果ガスによる地球温暖化問題、即ち、ＣО２の削減が求められている。これに鑑み、木質系バイオマス燃料による燃焼炉が、ハウスの暖房手段として必要とされている。
【０００３】
この主の燃焼炉においては、二次燃焼後に、空中に排気するので、完全燃焼を図るには、十分でなく、燃焼ガスの飛散があり、対策が急務である。また、燃焼炉内を最適な負圧状態を確保できない構造であり、例えば、燃焼効率と、燃焼灰・ガスを、燃焼炉の入口側より送出側に向かって、送出す（移動させる）には十分でないこと、並びに燃焼炉内への空気の供給（押込み）が不足することで、例えば、燃焼効率の低減化と、燃焼ガス・カスの舞い上がり燃焼は期待できないこと、等が考えられる。
【０００４】
：  特開２００９−１９８０７１号公報に記載の木質ペレット燃焼装置（文献（１））で、燃焼室の燃焼床に多数本の燃焼空気を送るノズルを配備し、燃焼精度を確保しつつ、燃焼灰の飛散防止を図る構造である。
【０００５】
：  特開２００６−２７５３０１号公報に記載の木質ペレット燃焼方法、及びその装置（文献（２））で、燃焼室の燃焼床には、多孔板のセラミック層を設けて、木質ペレットの流動燃焼の良好化と、燃焼灰とを燃焼ガスとの流動化を利用して、完全燃焼を図りつつ、燃焼灰の飛散防止を図る構造である。
【０００６】
：  実用新案登録第３０８８９４２号公報に記載の木質ペレット燃焼用ガンタイプバーナ（文献（３））で、燃焼室のバーナ装置において、外気が、ペレットが一次燃焼室において、着火・部分燃焼・ガス化する目的で、ペレット積層下部より適量供給され、また、外気の一部を、一次燃焼室から吹き出る可燃性ガスが、下流の堰板、及び絞り板等の熱機器の燃焼室内で完全燃焼するよう一次燃焼室下流端から二次燃焼空気として吹き込む構造が開示されている。
【０００７】
【特許文献１】特開２００９−１９８０７１号公報
【特許文献２】特開２００６−２７５３０１号公報
【特許文献３】実用新案登録第３０８８９４２号公報
【発明の概要】
【発明が解決しようとする課題】
【０００８】
上記に鑑み、本発明は、以下のことを目的としつつ、従来の問題解決を図ることにある。
１．）  木質ペレット暖房機の燃焼炉用ロストルを提供し、燃焼効率を上げて燃えカスを無くし、残るのは燃焼灰のみとすることによって、炉内の掃除回数を少なくし、燃焼灰のみを処理すれば燃焼状態を維持できる。
２．）  二次燃焼用のロストルの底面に設けた空気用の吹出スリット（吹出口）により、燃焼炉内に燃えカスが残らず、かつ燃焼灰・燃えカスを、三次燃焼用の三次ピットに吹き飛ばす構成である。
３．）  三次ピット、及び、三次ピットに設けた三次燃焼用の外気吸気スリット（吸気口）により、燃えカスを燃焼し、燃焼炉内に燃えカスが残らないようにする。
４．）  燃焼した燃えカスは、灰となりサイクロン集塵機で集められるために、暖房機の燃焼炉用ロストルに焼却灰が残らない。従って、燃焼炉の中の燃えカス・灰の掃除は、月１回程度か、又は不要となる。
【課題を解決するための手段】
【０００９】
本発明は、前述した１．）〜４．）を達成するために、請求項１〜４を提案する。
【発明の効果】
【００１０】
請求項１の発明は、点火バーナと燃焼ファン及び木質ペレット投入筒部とを備えた一次燃焼ピットと、一次燃焼ピットに連設された二次燃焼用の燃焼炉と、燃焼炉の送出側にある、少なくとも、燃焼ガス及び燃えカスを空中に拡散して燃焼する三次燃焼ピット、及び四次燃焼ピットを備える木質ペレット燃焼炉において、
燃焼炉に入口側より送出側に向かって下り傾斜したロストルを配備し、燃焼ファンからの風を、ロストルの短手方向に複数段形成した吹出スリットより、ロストルの上下方向に供給し、二次燃焼を可能とするとともに、燃焼炉の燃焼ガス、及び燃えカスを、送出側に向かって搬送可能とする木質ペレット暖房機の燃焼炉用ロストルであり、一次〜四次燃焼を行い、かつ三次燃焼において、燃焼ガスを空中拡散燃焼することで、木質ペレットの効率燃焼と、併せて燃えカスの略皆無とを図るとともに、この皆無で、清掃の減少化、及び汚染回避が図れる。そして、燃焼の促進と、燃焼効率の向上とが達成できる特徴がある。また、三次燃焼ピットより一段低くなった四次燃焼ピットを形成し、四次燃焼ピットにおいて、三次燃焼ピット内に溜まったペレットの燃えカスを舞い上がらせ、さらに燃焼を促進することができる。
【００１１】
請求項２の発明は、ロストルは、底面と、底面の両端部より側面側の傾斜方向に逆末広がりとなる両側面を形成する構成とした木質ペレット暖房機の燃焼炉用ロストルであり、請求項１の目的達成と、そのために、燃焼ガス、及び燃えカスを確実、かつ迅速に送出側に導き得ることと、第三燃焼（第三燃焼ピット）における燃焼ガス・カスの舞い上がり燃焼に有益であること、等の特徴がある。
【００１２】
請求項３の発明は、燃焼ファンからの風を、燃焼炉に付設したチャンバーで二分し、燃焼炉と、ロストルとに供給するとともに、チャンバーに設けた二つの通路と、この通路に設けたダンパで、燃焼炉と、ロストルとに、区分して供給可能とする構成とした木質ペレット暖房機の燃焼炉用ロストルであり、請求項１の目的達成と、そのために、燃焼ファンの風量調節をスライドダンパで行うものであり、燃焼バーナに必要な空気量（ペレット燃焼バーナ）と、二次燃焼を司るロストルに必要な空気量を、適宜、調整、及び／又は、バランス調整し、最適な燃焼状態を確保できる。また、燃焼ファンは、送風量を増減できる構造のファンを採用すると、さらに最適な空気量を達成できる特徴がある。
【００１３】
請求項４の発明は、ロストルの吹出スリットは、多数枚の底板の繋ぎ目に形成し、第一の底板には、第二の底板〜第ｎの底板を、順次、複数枚設けるとともに、第一の底板の送出側の下に、第二の底板の入口側が積層される構成とし、第一の底板の送出側と、第二の底板の入口側で、第一の吹出スリット（第一の吹出風路）とを構成するとともに、第二の底板の送出側と、第ｎの底板の入口側で、第ｎ前の吹出スリット（第ｎ前の吹出風路）とを構成した木質ペレット暖房機の燃焼炉用ロストルであり、請求項１の目的達成と、そのために、ロストルの各底板と、各吹出スリット並びに吹出風路の最適な構造を提供できる。また、第三燃焼ピット内にたまったペレットの燃えカスを舞い上がらせ、空中燃焼と、燃焼を促進できる実益がある。
【図面の簡単な説明】
【００１４】
【図１】暖房機全体を断面視して示した模式図
【図１−１】暖房気全体を含めたハウスに設置した状態を示した装置全体の拡大俯瞰図
【図１−２】図１−１に示した装置全体の俯瞰図であるが、反対側（サイロ側）より視た拡大俯瞰図
【図１−３】図１−２に示した装置の要部で、暖房機の燃焼部（点火バーナと燃焼ファン等）と燃焼炉とを示した俯瞰図
【図１−４】図１−２に示した装置の要部で、暖房機の燃焼部と、燃焼炉及び煙道とを示した俯瞰図
【図２】暖房機の燃焼部と燃焼炉の概念を示した拡大模式図
【図３】図２に示した暖房機の燃焼部と燃焼炉の概念を示した拡大模式図であるが、反対側（サイロ側）より視た俯瞰図
【図４】図１−２に示した装置の要部で、暖房機の燃焼炉の送出側と、この送出側の三次・四次燃焼ピット及び煙道とを示した拡大俯瞰図
【図４−１】図４から抜き出した第二燃焼ピットとなるロストルと、燃焼部とを示した送出し側より視た拡大俯瞰図
【図４−２】図４から抜き出した第二燃焼ピットとなるロストルと、燃焼部とを示した入口側より視た拡大俯瞰図
【図４−３】図４から抜き出した第二燃焼ピットとなるロストルの要部のさらに拡大断面図
【図５】図１−２に示した装置の要部で、暖房機の燃焼炉の送出側と、この送出側の三次・四次燃焼ピットを示した拡大俯瞰図
【図５−１】図５に示した三次・四次燃焼ピットを示した斜視図
【図５−２】図５−１の俯瞰図
【発明を実施するための形態】
【００１５】
本発明の装置全体の一例を示した図１〜図１−２において、構成要素（部品）の概要は、箱形（一例である）の木質ペレット燃焼機本体Ａと、燃焼機本体Ａの要部で、かつ後述する燃焼炉Ｃに繋がる点火バーナと燃焼ファン等を備えた燃焼部Ｂ（燃焼機構）と、この燃焼部Ｂを一面（燃焼炉の入口側Ｘ１）に有し、他面（燃焼炉の送出側Ｙ１）が閉鎖され、かつ上面（燃焼炉の外周上側Ｚ１）に吸込み口を備えた燃焼機本体Ａの下部に内設した燃焼炉Ｃと、燃焼機本体Ａと燃焼炉Ｃの一側面（燃焼炉Ｃの裏面Ｏ）に接続した配管に設けた誘引ファンＤと、この配管と誘引ファンＤとの間に設けた集塵機Ｅと、前記入口側Ｘ１に繋がる木質ペレットＷ（ペレットＷとする）の投入口を備え、かつペレットＷを定量供給（制御）する搬送機構Ｆと、搬送機構Ｆに繋がるタンクＧと、煙突Ｉとでなる。以下、個別に説明する。尚、集塵機Ｅ、搬送機構Ｆ等の付帯設備を装置全体に含めたが、一例である。
【００１６】
燃焼機本体Ａは、図１〜図１−３と図４に示したように、箱形であり、燃焼炉Ｃの入口側Ｘ１となる前面Ｘ、燃焼炉Ｃの送出側Ｙ１となる後面Ｙ、及び燃焼炉Ｃの外周上側Ｚ１となる天板面Ｚ、燃焼炉Ｃの外周裏側Ｏ１となる裏面Ｏ、並びに燃焼炉Ｃの外周表側Ｐ１となる表面Ｐとでなる。天板面Ｚには、空気吸込み穴１と、穴１の直上にファン２を備える。従って、ファン２の回転で、穴１より、燃焼機本体Ａの内面Ａ１と燃焼炉Ｃの外周上側Ｚ１とで形成された空間Ｒ（燃焼炉Ｃの上部）に、外気の送り込みができる。
【００１７】
燃焼部Ｂは、図１−１〜図１−３に示したように、筒状であり、燃焼炉Ｃの入口側Ｘ１に突設した筒状の一次燃焼ピット３と、この一次燃焼ピット３に付設される点火バーナ４と、並びに燃焼ファン６（押込みファン）と、上面に入口部が繋がり、かつ上面より突設したペレット投入筒部７とで構成する。従って、ペレットＷが、ペレット投入筒部７より火格子１１に供給された後、点火バーナ４の働きで、燃焼する。尚、燃焼ファン６の風量を、制御手段Ｂ１で調整することも有り得る。燃焼効率と負圧調整等のためである。制御手段Ｂ１は、一次燃焼ピット３の下に設けた燃焼ファン６に繋がるチャンバー８と、このチャンバー８に設けた分岐した通路９ａ、９ｂと、通路９ａ、９ｂへの吸込み空気の通過量を規制するダンパ１０とで構成する。この通路９ａは、一時燃焼ピット３に繋がり、他の通路９ｂは、燃焼炉Ｃの送出側Ｙ１に繋がる構成である。従って、ダンパ１０の切換え制御で、図１に示したように、一時燃焼ピット３から燃焼炉Ｃの本体部Ｃ１への空気量と、燃焼炉Ｃの後述するロストル下部（燃焼炉Ｃの底部Ｃ２）への空気量と、をコントロールする。尚、一次燃焼ピット３には、火格子１１を内設する。
【００１８】
燃焼炉Ｃの前部Ｃ３は、各図で示したように、全体視して筒状（一例である）であり、その外周面の構造は、燃焼炉Ｃの入口側Ｘ１と、燃焼炉Ｃの送出側Ｙ１、及び燃焼炉Ｃの外周上側Ｚ１と、燃焼炉Ｃの外周裏側Ｏ１、並びに燃焼炉Ｃの外周表側Ｐ１とでなる。そして、燃焼炉Ｃの本体部Ｃ１で、その入口側Ｘ１には、一次燃焼ピット３と、温風吹出口１２とが設けられており、温風吹出口１２にはダクトＨを取り付ける。また、その内周面の構造は、入口側Ｘ１から送出側Ｙ１の長手方向に向かって低いスロープ形状に設置された横断面（長手方向と直交する短手方向の断面）において樋形状となった、後述するロストル１６と、このロストル１６の底面１６ａの長手方向に、間隔をおいて横設して開設した吹出スリット１７と、この底面１６ａの流れ方向（長手方向と同義）となった側面１６ｂ（堰）と、また、このロストル１６の入口側Ｑ１を、前記燃焼炉Ｃの入口側Ｘ１に延設するとともに、火格子１１の開口側の下面に設置する取付部１６ｃと、で構成する。燃焼炉Ｃの入口側Ｘ１の上には、一次燃焼ピット３の吹出口が設けられる。また、ロストル１６の送出側Ｒ１は、後述する三次燃焼ピット３０の部屋の上面に繋がる。本発明ではロストル１６の、少なくとも、底面１６ａと燃焼炉Ｃの本体部Ｃ１との空間を浮遊する燃焼済・燃焼中等のペレットＷとか燃焼ガス等は、燃焼ファン６の押込力で、送出側Ｙ１に向かって移送される。その主体となるのが、ロストル１６の吹出スリット１７からの風（吹出空気）である。この風は、その表面を移送する燃焼済・燃焼中等のペレットＷとか燃焼ガス等を、送出側Ｙ１に向かって押圧する働きと、ペレットＷとか燃焼ガス等を、空間を浮遊させる働きと、を有しており、結果として、完全燃焼と、効率的燃焼が担保される。
【００１９】
ロストル１６の好ましい構成を説明すると、底面１６ａと、この底面１６ａの両端部より傾斜方向に逆末広がりとなる両側面１６ｂ、１６ｂで形成される。そして、この底面１６ａは、多数枚の底板１６ａ１の繋ぎ目に、第一の吹出スリット１７を形成する。この一例では、第一の底板１６ａ１−ａには、第二の底板１６ａ１−ｂ〜第ｎの底板１６ａ１−ｎを、順次、複数枚設けるとともに、前記第一の底板１６ａ１−ａの送出側Ｒ１の下に、前記第二の底板１６ａ１−ｂの入口側Ｑ１が積層される構成とし、この第一の底板１６ａ１−ａの送出側Ｒ１の傾斜角度を保ち（下り傾斜角度とし）、この第二の底板１６ａ１−ｂの入口側Ｑ１の傾斜角度を少なくし（燃焼炉Ｃの底部Ｃ２に曲り）、前記第一の吹出スリット１７、即ち、第一の吹出風路１７ａを構成するとともに、前記第二の底板１６ａ１−ｂの送出側Ｒ１〜前記第ｎの底板１６ａ１−ｎの入口側Ｑ１で、第ｎ前の吹出スリット１７、即ち、第ｎ前の吹出風路１７ａを構成する。各吹出スリット１７の各吹出風路１７ａから、吹出された風と、両側板１６ｂで囲繞された樋形状の空間帯域とにより、空間で浮遊する燃焼済・燃焼中等のペレットＷとか、燃焼ガス等は、少なくとも、この押込み力と樋形状との相乗効果で、燃焼炉Ｃの送出側Ｙ１に向かって移送される。また、空間、及び／又は、第三燃焼ピット３０での浮遊が保証されている。
【００２０】
尚、燃焼炉Ｃの後部Ｃ４で、図１と、図４、図５に示したように、その送出側Ｙ１には、底部Ｃ２より一段、及び／又は、二段低い底面３１（一段より、低いのが二段である）を備えた三次燃焼ピット３０と、底面４１を備えた四次燃焼ピット４０を形成する。三次燃焼ピット３０には、燃焼炉Ｃの底面３１の表裏面Ｐ、Ｏに開設した吸込溝３２、３２（吸気口スリット）を形成する。また、四次燃焼ピット４０には、底面４１に開設した吸込溝４２と、燃えカスを排出、又は修理用等として役立つ蓋４３とを設ける。従って、三次・四次燃焼ピット３０、４０に送られた燃焼ガス、又は燃えカスは、底面３１に開設した吸込溝３２、及び／又は、底面４１に開設した吸込溝４２（吸気口スリット）より吸込んだ上昇気流と、誘引ファンＤの吸引力とにより、図４に示すように、燃焼炉Ｃの空間（三次・四次燃焼ピット３０、４０空中）に舞い上がり燃焼する。換言すると、略完全燃焼し、燃焼機本体Ａの上部に複数本設けた煙道５０に導かれる。この煙道５０を流れる燃焼ガスと、穴１より空間Ｒに吸込んだ外気との熱交換を介して温風を生成し、この温風を、温風吹出口１０及びダクトＨを経由して、ハウス内に放出し、その暖房を図る。
【００２１】
誘引ファンＤは、燃焼機本体Ａの裏面Ｏ側（一例である）で配管５２を介して集塵機Ｅに接続されており、燃焼炉Ｃの燃焼ガス、及び／又は、燃えカスを集塵機Ｅを通して吸引する。この吸引量と、燃焼ファン６の押し出し量、及び燃焼炉Ｃに存在するペレットＷの量との関係で、燃焼炉Ｃの負圧調整を図る。また、誘引ファンＤに接続した配管５２に接続された集塵機Ｅで遠心分離した燃えカス（微粒子）を分離した後、美麗な空気を煙突Ｉより放散する。
【００２２】
搬送機構Ｆは、図１〜図１−２に記したように、ペレットＷを定量供給することを目的とし、タンクＧに接続した第一スクリューコンベア６０と、そのモータ６１と、センサを備えたサイロ６２、及び第二スクリューコンベア６３と、そのモータ６４と、並びにシュータ６５とで構成されている。従って、タンクＧの底部に溜まったペレットＷは、第一スクリューコンベア６０の駆動で、サイロ６２に送られるとともに、付設したセンサの働きで、定量貯留される。その後、燃焼炉Ｃの表面Ｐに設けた制御盤Ｊ（制御機構）の指令があった際に、第二スクリューコンベア６３が駆動して、サイロ６２のペレットＷを、ペレット投入筒部７を介して、一時燃焼ピット３に供給する。
【００２３】
制御盤Ｊは、その他の働きとして、少なくとも、ペレットＷの投入量とか、モータ６４と、点火バーナ４と、燃焼ファン６、及び誘引ファンＤの働きを、コントロールすることで、燃焼炉Ｃ内の負圧調整（負圧状態維持）を図り、完全燃焼、及び／又は、燃焼効率の確保、又はペレットＷの利用等を図る。燃焼炉Ｃの運転と、点火バーナ４、燃焼ファン６、及び誘引ファンＤ等の操作、調整等を図る。
【００２４】
次に、本発明の燃焼と風（空気）、燃焼ガス等の流れ、動き等の好ましい一例を説明すると、制御盤Ｊのスイッチをオンする。第一スクリューコンベア６０により、サイロ６２に貯留されているペレットＷが、第二スクリューコンベア６３が動いて、ペレットＷがペレット投入筒部７より一次燃焼ピット３に送られるとともに、点火バーナ４からの炎で、ペレットＷに着火し、燃焼を始める。これに同期して、誘引ファンＤ・燃焼ファン６が機能して、燃焼炉Ｃ内を負圧状態とするとともに、燃焼ファン６の押込力と、誘引ファンＤの燃焼炉Ｃ内の空気（燃焼ガスと燃えカス等）、又は場合により、吸込溝３２、３４からの外気を強力に引張る（引込む）力により、燃焼炉Ｃの入口側Ｘ１から送出側Ｙ１に向かって、火炎・火炎ガス（燃焼ガス）の流れを形成する。燃焼ファン６の風（風量調節）は、ダンパ１０を調整し、分岐通路（通路９ａ、９ｂ）を流れる空気量を、バランス調整して決定する。即ち、ペレットＷの一次燃焼に必要とする火格子１１の下からの空気量と、二次燃焼用のロストル１６に必要な空気量を、決定して、最適な燃焼状態にする。図１の如く、このロストル１６の吹出スリット１７（吹出溝）からの吹出し風と、燃焼炉Ｃ内の負圧状態（マイナス圧）と、燃焼ファン６による空気の押込みとで、ロストル１６と底部Ｃ２との高い位置の入口側Ｘ１から、ロストル１６と底部Ｃ２との低い位置の送出側Ｙ１に向かって、順次、燃焼炉Ｃの本体部Ｃ１に向かって吹出すことで、供給されたペレットＷを燃焼しつつ、燃焼ペレットＷの搬送、並びに燃焼ガスと燃えカスとを、スムーズに、かつ燃焼炉Ｃの入口側Ｘ１から送出側Ｙ１に向かって押込む構造である（ロストル１６の傾斜設置と、吹出スリット１７からの風、及び送出側Ｙ１に向かって収れんされた構造、並びに底面１６ａと側面１６ｂでなる樋形状とで、前述の如く、送出す構造である）。
【００２５】
そして、この吹出された燃焼ガスと燃えカスを、三次燃焼ピット３０に向かって、燃焼炉Ｃの本体部Ｃ内を乱舞するように送り込む（吹き飛ばすように送り込む）とともに、この三次燃焼ピット３０の数箇所の吸込溝３２からの外気を介して、この三次燃焼ピット３０において、図５の如く、乱舞し、完全燃焼を達成する（三次燃焼ピット３０内に溜まったペレットＷの燃えカスを舞い上がらせ、さらに燃焼を促進する）。この乱舞は、四次燃焼ピット４０を三次燃焼ピット３０より一段低くしたことと、後側（入口側Ｘ１）に吸込溝４２を設けたことと相俟って、図５に示したような流れとなり、確実に達成できると考えられる。また、本発明の製造工場での実施において確認されている。
【００２６】
また、四次燃焼ピットは三次燃焼ピットと同じ高さでもよい。
【００２７】
その後、燃焼ガスは、多数本の煙管７０に吸引される（流れる）。この煙管７０を取り巻く空間Ｒに存在する空気との熱交換で、温風が生成される。この温風は温風吹出口１２とダクトＨを介してハウス内に拡散される。
【００２８】
そして、燃焼ガスと燃えカス及び燃焼灰は、配管５２を介して集塵機Ｅに導き、例えば、遠心分離で、燃焼粒子と燃焼灰、及び清澄な燃焼空気に分離し、燃焼灰を集塵機により所定の箱部に蓄積させ、清澄な燃焼空気を煙突Ｉより空気中に拡散する。
【００２９】
尚、四次燃焼ピット４０を設けること、及び／又は、四次燃焼ピット４０を、三次燃焼ピット３０より一段低く構成することで、図５に示した吸込み風の流れと、この風の衝突等が発生し、燃焼ガスと燃焼灰等を舞い上がらせるに十分な旋回流と上昇流が発生するものと考えられる（図５参照）。
【００３０】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００３１】
Ａ  燃焼機本体
Ａ１  内面
１  穴
２  ファン
Ｘ  前面
Ｙ  後面
Ｚ  天板面
Ｏ  裏面
Ｐ  表面
Ｒ  空間
Ｂ  燃焼部
３  一次燃焼ピット
４  点火バーナ
６  燃焼ファン
７  ペレット投入筒部
８  チャンバー
９ａ  通路
９ｂ  通路
１０  ダンパ
１１  火格子
Ｂ１  制御手段
Ｃ  燃焼炉
Ｃ１  本体部
Ｃ２  底部
Ｃ３  前部
Ｃ４  後部
１２  温風吹出口
１６  ロストル
１６ａ  底面
１６ａ１−ａ  第一の底板
１６ａ１−ｂ  第二の底板
１６ａ１−ｎ  第ｎの底板
１６ｂ  側面
１６ｃ  取付部
１７  吹出スリット
１７ａ  吹出風路
Ｘ１  入口側
Ｙ１  送出側
Ｚ１  外周上側
Ｏ１  外周裏側
Ｐ１  外周表側
Ｑ１  入口側
Ｒ１  送出側
３０  三次燃焼ピット
３１  底面
３２  吸込溝
４０  四次燃焼ピット
４１  底面
４２  吸込溝
４３  蓋
Ｄ  誘引ファン
５０  煙道
５２  配管
Ｅ  集塵機
Ｆ  搬送機構
６０  第一スクリューコンベア
６１  モータ
６２  サイロ
６３  第二スクリューコンベア
６４  モータ
６５  シュータ
７０  煙管
Ｇ  タンク
Ｈ  ダクト
Ｉ  煙突
Ｊ  制御盤
Ｗ  木質ペレット
【図１】
0006482932.tif 000002
【図１−１】
0006482932.tif 000003
【図１−２】
0006482932.tif 000004
【図１−３】
0006482932.tif 000005
【図１−４】
0006482932.tif 000006
【図２】
0006482932.tif 000007
【図３】
0006482932.tif 000008
【図４】
0006482932.tif 000009
【図４−１】
0006482932.tif 000010
【図４−２】
0006482932.tif 000011
【図４−３】
0006482932.tif 000012
【図５】
0006482932.tif 000013
【図５−１】
0006482932.tif 000014
【図５−２】
0006482932.tif 000015